(57)【要約】【課題】発生予察や大量誘殺に用いる誘引剤において、取扱いが簡便であり、かつコンタミネーションが起こり難い昆虫の誘引剤を提供する。【解決手段】昆虫の誘引物質と、前記誘引物質を担持する徐放性担体２と、凹部を有し、前記徐放性担体を前記凹部に保持する凹型アタッチメント４とを備える昆虫の誘引剤１が提供される。【選択図】図１
2017201890.tif 000002
【特許請求の範囲】
【請求項１】
昆虫の誘引物質と、
前記誘引物質を担持する徐放性担体と、
凹部を有し、前記徐放性担体を前記凹部に保持する凹型アタッチメントと
を備える昆虫の誘引剤。
【請求項２】
前記凹部の深さが、前記徐放性担体の高さよりも大きい請求項１に記載の昆虫の誘引剤。
【請求項３】
前記凹部の深さが、前記徐放性担体の高さの１．２倍よりも大きい請求項１又は請求項２に記載の昆虫の誘引剤。
【請求項４】
前記凹型アタッチメントが、飲料容器のキャップである請求項１〜３のいずれか１項に記載の昆虫の誘引剤。
【請求項５】
前記昆虫の誘引物質が、昆虫のフェロモンである請求項１〜４のいずれか１項に記載の昆虫の誘引剤。
【発明の詳細な説明】
【技術分野】
【０００１】
本発明は、取扱いが簡便な昆虫の誘引剤に関するものである。
【背景技術】
【０００２】
昆虫は、交尾相手や餌の探索、産卵場所の特定等、多様な行動に様々な匂い（揮発性物質）を利用している。このような匂い物質の中でも、交尾直前のコミュニケーション手段である性フェロモンは、高い誘引活性と種特異性を有することが知られ、その特徴を利用した「発生予察」、「大量誘殺」、「交信かく乱」といった手法が害虫防除において実用化されている。
【０００３】
発生予察は、性フェロモンの誘引力により集めた害虫を定期的に数えることにより、現在の発生状況やこれまでの発生傾向を把握して、将来の発生程度や発生時期を予測するものである。予測の結果、不必要な殺虫剤散布が回避でき、減農薬が可能となる。
大量誘殺は、性フェロモンの強力な誘引力により圃場に生息するオスを根こそぎ捕獲することにより、野外メスの交尾機会を奪い、次世代の害虫密度低下を目的としている。
また、交信撹乱は、性フェロモンを圃場に大量にばら撒いて、性フェロモンによるコミュニケーションを撹乱して害虫の交尾を妨害する。その結果、大量誘殺と同様に次世代の害虫密度の低下を図る。
【０００４】
前述の通り、昆虫の性フェロモンは揮発性物質であり、そのまま圃場に設置すると短期間で揮散してしまう。そこで、発生予察、大量誘殺、交信撹乱用の製品では、性フェロモンの放出が１か月以上続くように、有効成分を徐放性担体に保持させている。発生予察用や大量誘殺用の製剤においては、このような合成性フェロモンを含む徐放性担体のことを特に「誘引剤」と呼んでいる。
【０００５】
市販のチョウ目昆虫の誘引剤には、対象昆虫の合成性フェロモンが０．００３３〜１０ｍｇの範囲でゴムキャップやプラスチックカプセルに含浸されている（非特許文献１）。性フェロモンは種固有のシグナルであるため、誘引剤に含浸する揮発性物質やそれらの混合比率は当然対象害虫ごとに異なったものとなる。
【０００６】
性フェロモンには、他種の性フェロモンの存在が、自種の性フェロモンの活性を阻害する「誘引阻害」という現象が知られている。例えば、シロイチモジヨトウの性フェロモンの場合、第二成分である（Ｚ）−９−テトラデセノールは、ハスモンヨトウの誘引を阻害する（非特許文献２）。この阻害作用は強力であるため、シロイチモジヨトウの誘引剤に触れた指で、ハスモンヨトウの誘引剤に触れると、後から触れたハスモンヨトウ誘引剤の誘引性が低下する。このように誘引活性を低下させるコンタミネーションを防ぐために、ピンセット等の利用が推奨され（非特許文献１）、複数種の誘引剤を取り扱う場合には、誘引剤ごとにピンセット等を用意する必要がある。
【０００７】
誘引剤で集めた虫を捕獲する装置のことを「トラップ」という。虫の特性に合わせて様々な形状のトラップが市販されている。その中でも最も多くの昆虫に利用されているトラップは、図４に示す粘着物質を塗った板に屋根を取り付けた「粘着式トラップ」である。
粘着式トラップ１１１では、誘引剤１００を粘着板１１２の粘着面上に置いて使用するが、その際、誘引剤１００に触れなくてはならない。また、誘引剤の有効期間（通常は１か月）に合わせて、使用済みの誘引剤を取り出し、新たな誘引剤をセットする作業が必要となる。
また、誘引剤の交換時期前であっても、粘着板にたくさんの虫が付着した場合、粘着板を更新する。その際も、古い粘着板から新しい粘着板に誘引剤を載せ替えるために、誘引剤に触れる必要がある。通常１シーズンで１台のトラップをメンテナンスすると、誘引剤に触れる機会は通常１０回前後となる。
【先行技術文献】
【非特許文献】
【０００８】
【非特許文献１】フェロモンによる発生予察法  p10  植物防疫協会(2010)
【非特許文献２】“Inhibitory effect of (Z)-9-alkenols and (Z)-9-alkenyl acetates on attraction of male Spodoptera litura (Lepidoptera:Noctuidae) to the synthetic sex pheromone （鱗翅目ヤガ科ハスモンヨトウの雄の合成性フェロモンへの誘引における(Z)-9-アルケノール及び(Z)-9-アルケニルアセテートの阻害効果）” Hirano, C., M. Tanouchi and M. Horiike(1980)  Appl. Entomol. Zool. 15:502-503.
【発明の概要】
【発明が解決しようとする課題】
【０００９】
農業現場における発生予察では、一人の担当者が、５〜１０地区程度、そして、複数の害虫のフェロモントラップをメンテナンスすることは普通である。特に害虫種が多い果樹類では１０種前後の害虫のモニタリングを行っている。仮に、１０地区、１０種類のフェロモントラップのメンテナンスを１シーズン行ったとすると、誘引剤に触れる機会は１，０００回にも達する。
前述の通り、誘引剤を取り扱う際はピンセット等の利用が推奨されている。しかし、専用のピンセットを用意しても、これだけたくさんのフェロモントラップを取り扱う現状を鑑みれば、実際の作業時にピンセットを取り違えてしまう危険性は非常に高い。ピンセットの取り違えは、コンタミネーションの原因となる。煩雑な作業を強いているにも拘わらず、ピンセットの利用はコンタミネーション防止の根本的な解決策とはなっていないという問題点があり、農業現場からは、ピンセット等を使わず交換が簡便で、かつコンタミネーションが起こり難い誘引剤の開発が望まれていた。
本発明は、発生予察や大量誘殺に用いる誘引剤において、取扱いが簡便であり、かつコンタミネーションが起こり難い昆虫の誘引剤を提供する。
【課題を解決するための手段】
【００１０】
本発明者らは、上記課題の解決のため誘引剤に関する研究を進めた結果、取扱いが簡便で、誘引剤の交換に要する時間が短縮されるため、効率的な害虫防除が可能となる誘引剤を見出し、本発明を完成した。
本発明の一つの態様では、昆虫の誘引物質と、前記誘引物質を担持する徐放性担体と、凹部を有し、前記徐放性担体を前記凹部に保持する凹型アタッチメントとを備える昆虫の誘引剤が提供される。
【発明の効果】
【００１１】
本発明の昆虫の誘引剤を用いることにより、取扱いが簡便になる結果、人為ミスによる昆虫の誘引剤のコンタミネーションを防ぐことができ、更に交換に要する時間が短縮されるため、効率的な害虫防除手段を提供することができる。また、用いる凹型アタッチメントとして飲料容器のキャップを用いると、使用済みの飲料容器をトラップとして再利用が可能となり、資源の有効活用にも繋がる。
【図面の簡単な説明】
【００１２】
【図１】本発明の誘引剤例の斜視図である。
【図２】本発明の誘引剤例を用いた粘着式トラップの例である。
【図３】本発明の誘引剤例の縦断面図である。
【図４】従来の粘着式トラップである。
【発明を実施するための形態】
【００１３】
昆虫の誘引物質は、特に限定されないが、例えば、性フェロモン、集合フェロモン、道標フェロモン等のフェロモン類から選択される昆虫のフェロモンや、餌や産卵場所の匂いをはじめとするカイロモン類もしくは機能が不明であるものの誘引性を有することが知られているミカンコミバエにおけるメチルオイゲノールのような誘引物質等である。
各徐放性担体に担持される誘引物質の量は、誘引物質の種類や対象とする害虫の種類によって異なるが、好ましくは０．００３３〜１０ｍｇ、より好ましくは０．１〜１．０ｍｇである。
【００１４】
徐放性担体の材質は、昆虫の誘引物質を担持させた際に徐放性を有する素材であれば制限されない。例えば、天然ゴムや合成ゴム等の各種ゴム、ポリエチレンやポリプロピレン等のポリオレフィン、ポリエステル又はポリアミドのような高分子材料、ボール紙、綿、合成繊維、合成セルロース、セラミック等がある。
徐放性担体の形状は、誘引物質の一定量の放出を長期間にわたり持続させることができれば特に限定されず、例えば、前記徐放性を有する材質から構成されるキャップ、細管、ラミネート製の袋、カプセル等の容器を用い、これらに充填して用いられる。
【００１５】
凹型アタッチメントは、凹部を備えたものであればその形状に制限されず、例えば、柱の中心軸に垂直な横断面が円形の円柱、横断面が三角形、四角形、菱形もしくは台形等の多角柱、又は横断面が扇形、まゆ形もしくは星型等の柱状等を任意に選択できる。
凹型アタッチメントは、好ましくは飲料容器のキャップである。この場合、スクリューキャップ、特に飲料容器のキャップを用いると、使用済みの飲料容器をトラップとして再利用することができる。
【００１６】
徐放性担体は、凹型アタッチメントの凹部の内部、好ましくは内側中央に接着している。この接着には、熱による溶融を用いても、接着性の物質を用いて接着させても構わない。その結果、徐放性担体は、凹型アタッチメントの凹部に保持され一体となり、かつ徐放性担体全体が凹型アタッチメントの凹部の空間に納められる。
接着性の物質としては、特に限定されないが、好ましくは接着剤であり、例えばエポキシ系接着剤である。
徐放性担体を凹型アタッチメントの凹部に接着させる際、あらかじめ誘引物質を担持した徐放性担体を凹部に接着しても良いが、凹型に徐放性担体を接着させた後、徐放性担体に昆虫の誘引物質を担持しても良い。
【００１７】
凹型アタッチメントの凹部の深さ（ｍ）と、徐放性担体の高さ（ｎ）の関係は、好ましくはｍ＞ｎ、さらに好ましくは、ｍ＞１．２ｎである。すなわち、凹型アタッチメントの凹部の深さ（ｍ）は、好ましくは徐放性担体の高さ（ｎ）よりも大きく（ｍ＞ｎ）、さらに好ましくは徐放性担体の高さ（ｎ）の１．２倍よりも大きい（ｍ＞１．２ｎ）。凹部の深さ（ｍ）を徐放性担体の高さ（ｎ）よりも大きくすると、誘引剤の交換等の作業時に徐放性担体に触れる危険性を無くし、コンタミネーションを抑えることの確実性が高まる。
凹型アタッチメントの凹部の深さと徐放性担体の高さ以外の大きさの関係は、凹型アタッチメントの凹部の幅及び奥行が、徐放性担体を収納できるものであれば特に限定されないが、凹型アタッチメントが大きくなると、例えば粘着式のトラップの粘着面積が小さくなることに留意する。
【００１８】
徐放性担体を凹型アタッチメントの凹部に接着させた誘引剤は、トラップに取り付けられる。例えば、粘着式トラップでは、粘着面の好ましくは中央に貼り付ける。害虫を捕獲するための粘着面であるため、接着剤を使用しなくても、そのまま貼り付けることができる。
【００１９】
以下、図１〜３に基づき本発明の昆虫の誘引剤の一実施形態について説明する。
図１に示す例では、誘引剤１は、徐放性担体２が、接着剤３を用いて凹部を有する円柱である凹型アタッチメント４の内側中央に接着されている。徐放性担体２は、凹型アタッチメント４の凹部に保持され一体となり、かつ徐放性担体２全体が凹型アタッチメント１の凹部の空間に納められる。図２に示す例では、誘引剤１を粘着板１２の粘着面に配置した粘着式トラップ１１を示す。図３は、円柱状の凹型アタッチメント４の円柱の径方向に沿った、誘引剤１の縦断面を示す。図３では、凹型アタッチメント４の凹部の深さ（ｍ）は、好ましくは徐放性担体の高さ（ｎ）の１．２倍よりも大きくなっている（ｍ＞１．２ｎ）。
【実施例】
【００２０】
以下、本発明の具体的態様を実施例及び比較例によって説明するが、本発明は実施例に限定されるものではない。
実施例１
使用済み飲料容器の蓋（外径３．０ｃｍ、深さ１．５ｃｍ）を凹型のアタッチメントとして用い、その中央に、スモモヒメシンクイの性フェロモン１ｍｇを含浸させた円柱状のイソプレンゴム（外径０．９ｃｍ、高さ１．０ｃｍ）を接着させ誘引剤とした。
トラップとして、粘着板を備える図３に示す粘着式トラップを用いた。誘引剤を取り扱う際は、アタッチメント部を手で持ち、粘着板の中央に誘引剤のくぼみが上向きとなるように置き、トラップ（幅２９ｃｍ×奥行３２ｃｍ×高さ８ｃｍ）に納めた。
トラップを、幅１ｍ×奥行１ｍ×高さ０．５ｍのケージの中に入れ、中央から吊るし、その後、ケージにスモモヒメシンクイ雄成虫５０頭を放し、翌日に捕獲された虫を数えた。この実験を４反復行った。表１に、平均捕獲数とその標準誤差を示す。
【００２１】
比較例１
スモモヒメシンクイの性フェロモン１ｍｇを含浸させた、実施例１と同様のイソプレンゴムを、凹型のアタッチメントを用いることなく誘引剤とした。
この誘引剤を、使い捨てピンセットを用いてトラップの粘着板の中央に置いた以外は、実施例１と同様の実験を４反復行った。表１に、平均捕獲数とその標準誤差を示す。
【００２２】
【表１】
2017201890.tif 000003
【００２３】
実施例１による誘引剤の平均捕獲数は４０．５頭±２．７であり、これは放飼虫（５０頭）に対して８１％である。一方、アタッチメント無し（比較例１）では３８．０頭±２．５とほぼ同等の誘引性が確認された。本発明による誘引剤は、取扱いにピンセットが不要で直接手で触れることができる上に、誘引性は同等であることがわかる。
【符号の説明】
【００２４】
１、１００  誘引剤
２  徐放性担体
３  接着剤
４  凹型アタッチメント
１１、１１１  トラップ
１２、１１２  粘着板
ｍ  凹型アタッチメントの凹部の深さ
ｎ  徐放性担体の高さ
【図１】
2017201890.tif 000004
【図２】
2017201890.tif 000005
【図３】
2017201890.tif 000006
【図４】
2017201890.tif 000007